(57)【特許請求の範囲】
【請求項１】
不揮発性メモリを備えた消耗品を着脱可能に装着した状態で使用される画像形成装置であって、
不揮発性の本体側メモリと、
前記消耗品に係る異常を検出する異常検出手段と、
前記消耗品側メモリと、本体側メモリとの何れにも当該消耗品に係る異常に関する情報が記録されていないときに、異常検出手段によって異常が検出されたら、当該異常が検出された旨の異常検出情報を、消耗品側メモリと本体側メモリとの両方に記録する検出記録手段と、
消耗品が交換された後に、異常検出手段によって検出された新たな異常に相当する異常を記録した異常検出情報が、前記消耗品側メモリと、本体側メモリとの何れか一方のみに記録されているときに、異常検出情報が記録されているメモリに異常検出情報に代えて異常確定情報を記録する確定記録手段と、
前記確定記録手段が異常確定情報を記録するのに合わせて、当該異常が確定した旨を報知する確定報知手段と、を備える
ことを特徴とする画像形成装置。
【請求項２】
消耗品側メモリと、本体側メモリとの各々について、
異常確定情報が記録された後、再び当該異常が検出されないまま、所定のタイミングに達した場合には、当該異常確定情報に代えて当該異常検出情報を記録する記録更新手段を備える
ことを特徴とする請求項１に記載の画像形成装置。
【請求項３】
前記記録更新手段は、
消耗品側メモリと、本体側メモリとの各々について、
異常検出情報が記録された後、再び当該異常が検出されないまま、所定のタイミングに達した場合には、当該異常検出情報を抹消する
ことを特徴とする請求項１に記載の画像形成装置。
【請求項４】
異常検出情報が記録された後、所定の異常検出処理を行って当該異常が検出されなければ、その回数を履歴情報として記録する履歴記録手段、を備え、
前記所定のタイミングとは、履歴情報に記録された回数が所定回数に達したタイミングである
ことを特徴とする請求項２または３に記載の画像形成装置。
【請求項５】
前記所定の異常検出処理とは、当該異常を検出するすべての処理である
ことを特徴とする請求項４に記載の画像形成装置。
【請求項６】
前記所定の異常検出処理とは、当該消耗品が装着された直後に当該異常を検出する処理である
ことを特徴とする請求項４に記載の画像形成装置。
【請求項７】
消耗品どうしを識別する識別手段を備え、
前記所定の異常検出処理とは、異なる消耗品が装着された直後に当該異常を検出する処理である
ことを特徴とする請求項４に記載の画像形成装置。
【請求項８】
本体側メモリに記録される異常検出情報及び異常確定情報は、何れも当該異常に係る消耗品の識別情報を含む
ことを特徴とする請求項１から７の何れかに記載の画像形成装置。
【請求項９】
消耗品側メモリに記録される異常検出情報及び異常確定情報は、何れも当該異常に係る本体の識別情報を含む
ことを特徴とする請求項１から８の何れかに記載の画像形成装置。
【請求項１０】
前記消耗品側メモリと、本体側メモリとの何れにも当該消耗品に係る異常検出情報が記録されていないときに、当該異常が検出されたら、当該異常が検出された旨を報知する検出報知手段と、を備える
ことを特徴とする請求項１に記載の画像形成装置。
【発明の詳細な説明】
【技術分野】
【０００１】
本発明は、画像形成装置に関し、特に、着脱可能な部品に関連する不具合の原因を解析し易くする技術に関する。
【背景技術】
【０００２】
従来、画像形成装置を長寿命化するために、イメージングユニットのように、装置本体よりも寿命の短い消耗品を画像形成装置本体から着脱可能にして交換させる構成が採られている。そのような消耗品は寿命が尽きることによって交換される他、故障によっても交換される。故障による交換は、画像形成装置が消耗品に関連する故障を検出して、ユーザに報知することを契機に行われる。この場合において、トナーカートリッジのようにユーザ自身によって交換がなされる場合もあれば、ユーザの連絡を受けたサービスマンが交換を行う場合もある。
【先行技術文献】
【特許文献】
【０００３】
【特許文献１】特開２０１０−１７７７３７号公報
【特許文献２】特開２００５−１１６０２８号公報
【発明の概要】
【発明が解決しようとする課題】
【０００４】
消耗品に関連する故障は、画像形成装置本体の故障が原因となって検出される場合もあれば、着脱される消耗品の故障が原因となって検出される場合もある。このため、サービスマンは、故障を報知した画像形成装置から消耗品を予備の消耗品と交換した後、画像形成装置の動作を確認するのが一般的な手順である。交換後、画像形成装置が故障を報知しなければ、消耗品の故障であったと推定される。この場合には、交換品は画像形成装置に装着されたまま残され、抜去した消耗品はサービスセンタに持ち帰られて、故障原因が解析される。一方、交換してもなお画像形成装置が故障を報知する場合には、装置本体の故障が疑われるので、サービスマンは画像形成装置本体を調査して、故障原因を解析する。
【０００５】
画像形成装置本体と消耗品とのどちらに故障原因があるかは、必ずしも画像形成装置が行う故障報知のみから断定することはできない。原因の種類によっては故障が散発的に発生する場合もある。そのような場合には、画像形成装置本体が故障していても交換品を装着した後、直ちに故障が再現するとは限らない。また、消耗品の装着状態に問題がある場合、例えば、画像形成装置本体に何らかの破損があって、消耗品が正しい装着位置から徐々にずれてしまうために、消耗品への電力供給が途絶する接点不良が生じている場合にも、交換品を装着しても直ぐには故障が報知されない。
【０００６】
しかしながら、同一の画像形成装置や消耗品の保守、点検が同一のサービスマンによって継続的に実施されるとは限らない。このため、例えば、消耗品の故障であると推定された画像形成装置において同様の故障が再び発生した場合、同じサービスマンが対応すれば画像形成装置本体の故障を疑うことができても、前回故障時と今回とで別のサービスマンが対応すると画像形成装置本体の故障を疑うことは必ずしも容易ではない。
【０００７】
故障原因を正確に特定することは、画像形成装置のユーザの利便性を向上させることに繋がるので、消耗品関連の故障においても、画像形成装置本体の故障であるか消耗品の故障であるかを正確に判別できることが望ましい。
本発明は、上記のような問題点に鑑みてなされたものであって、消耗品に関連する故障原因の判別を補助することができる画像形成装置を提供することを目的とする。
【課題を解決するための手段】
【０００８】
上記目的を達成するため、本発明に係る画像形成装置は、不揮発性メモリを備えた消耗品を着脱可能に装着した状態で使用される画像形成装置であって、不揮発性の本体側メモリと、前記消耗品に係る異常を検出する異常検出手段と、前記消耗品側メモリと、本体側メモリとの何れにも当該消耗品に係る異常に関する情報が記録されていないときに、異常検出手段によって異常が検出されたら、当該異常が検出された旨の異常検出情報を、消耗品側メモリと本体側メモリとの両方に記録する検出記録手段と、消耗品が交換された後に、異常検出手段によって検出された新たな異常に相当する異常を記録した異常検出情報が、前記消耗品側メモリと、本体側メモリとの何れか一方のみに記録されているときに、異常検出情報が記録されているメモリに異常検出情報に代えて異常確定情報を記録する確定記録手段と、前記確定記録手段が異常確定情報を記録するのに合わせて、当該異常が確定した旨を報知する確定報知手段と、を備えることを特徴とする。
【発明の効果】
【０００９】
一旦、異常が検出され、画像形成装置と消耗品との組み合わせが変更された後に更に異常が検出された場合に、組み合わせ変更の前後に亘って共通する画像形成装置または消耗品に異常の原因がある可能性が高い。したがって、上述のように、消耗品に係る異常を検出した際に、検出した異常が消耗品側メモリと、本体側メモリとの何れにも記録されていない場合には、異常検出情報を消耗品側メモリと本体側メモリとの両方に記録し、さもなければ、既に異常が記録されている方のメモリに異常確定情報を記録して、その旨を報知するので、消耗品に関連する故障原因の判別を補助することができる。
【００１０】
また、消耗品側メモリと、本体側メモリとの各々について、異常確定情報が記録された後、再び当該異常が検出されないまま、所定のタイミングに達した場合には、当該異常確定情報に代えて当該異常検出情報を記録する記録更新手段を備え、前記記録更新手段は、消耗品側メモリと、本体側メモリとの各々について、異常検出情報が記録された後、再び当該異常が検出されないまま、所定のタイミングに達した場合には、当該異常検出情報を抹消することを特徴とする。このようにすれば、一過性の原因で異常が検出された後、同じ異常が別の原因で検出されることによる故障原因の誤判定を防ぐことができる。
【００１１】
この場合において、異常検出情報が記録された後、所定の異常検出処理を行って当該異常が検出されなければ、その回数を履歴情報として記録する履歴記録手段、を備え、前記所定のタイミングとは、履歴情報に記録された回数が所定回数に達したタイミングであるとしても良いし、更に、前記所定の異常検出処理とは、当該異常を検出するすべての処理としても良い。また、前記所定の異常検出処理とは、当該消耗品が装着された直後に当該異常を検出する処理としても良いし、消耗品どうしを識別する識別手段を備え、前記所定の異常検出処理とは、異なる消耗品が装着された直後に当該異常を検出する処理としても良い。
【００１２】
また、本体側メモリに記録される異常検出情報及び異常確定情報は、何れも当該異常に係る消耗品の識別情報を含んだり、消耗品側メモリに記録される異常検出情報及び異常確定情報は、何れも当該異常に係る本体の識別情報を含んだりすれば、異常が検出された際の本体と消耗品の組み合わせを調べるのに便利である。
また、前記消耗品側メモリと、本体側メモリとの何れにも当該消耗品に係る異常検出情報が記録されていないときに、当該異常が検出されたら、当該異常が検出された旨を報知する検出報知手段と、を備えるとすれば、この報知を契機にサービスマンが呼ばれるので、故障原因の特定を促すことができる。
【図面の簡単な説明】
【００１３】
【図１】本発明の実施の形態に係る画像形成装置の構成を示す図である。
【図２】イメージングユニット１０１の構成を示す断面図である。
【図３】イメージングユニット１０１の外観斜視図であって、（ａ）は画像形成装置１を開扉した状態において表側となる方向から見た図であり、（ｂ）はその裏側となる方向から見た図である。
【図４】制御部１１２の主要な構成を示すブロック図である。
【図５】異常情報に関するメモリマップを示す図であって、（ａ）は本体側メモリ４００を、（ｂ）はＩＵ側メモリ３００をそれぞれ表わしている。
【図６】制御部１１２の主要な動作を示すフローチャートである。
【図７】判定結果更新テーブルの内容を示す表であって、（ａ）は判定結果更新テーブルＡを示し、（ｂ）は判定結果更新テーブルＢを示す。
【図８】異常が検出された結果、判定結果領域に１（検出）が記録された場合の報知例を示す図である。
【発明を実施するための形態】
【００１４】
以下、本発明に係る画像形成装置の実施の形態について、図面を参照しながら説明する。
［１］  画像形成装置の構成
まず、本実施の形態に係る画像形成装置の構成について説明する。
図１は、本実施の形態に係る画像形成装置の構成を示す図である。図１に示されるように、本実施の形態に係る画像形成装置１は、いわゆるカラープリンタであって、画像形成部１００と給紙部１２０とを備えている。
【００１５】
画像形成部１００は、イエロー（Ｙ）、マゼンタ（Ｍ）、シアン（Ｃ）及びブラック（Ｋ）各色のトナー像を形成するイメージングユニット１０１Ｙ〜１０１Ｋを備えており、これらのイメージングユニット１０１Ｙ〜１０１Ｋはそれぞれ露光装置１０２からレーザ光による露光走査を受けて、ＹＭＣＫ各色のトナー像を作像する。イメージングユニット１０１Ｙ〜１０１Ｋによって作像されたトナー像は互いに重なり合うように、中間転写ベルト１０３上に順次転写（１次転写）される。中間転写ベルト１０３は駆動ローラ１０４と従動ローラ１０５とに張架されており、駆動ローラ１０４によって回転駆動され、矢印Ａ方向にトナー像を搬送する。
【００１６】
給紙部１２０は、記録シートＳを積載した給紙トレイ１２１を備えており、ピックアップローラ１２２を用いて記録シートＳを１枚ずつ繰り出して、給紙する。給紙部１２０が給紙する記録シートＳは搬送ローラ対１０６を経由して、タイミングローラ対１０７に到達する。タイミングローラ対１０７は記録シートＳの所定位置にトナー像が転写されるように、記録シートＳの搬送タイミングを調整する。また、タイミングローラ対１０７は記録シートＳのスキュー補正にも使用される。
【００１７】
２次転写ローラ１０８は、従動ローラ１０５と共に２次転写ローラ対を構成しており、両ローラ間に転写電圧を印加することによって、中間転写ベルト１０３上のトナー像を記録シートＳに静電転写する（２次転写）。定着装置１０９は、記録シートＳに担持されたトナー像を加熱、溶融し、記録シートＳに融着することによって、トナー像を記録シートＳに定着する。トナー像を定着された記録シートＳは排紙ローラ対１１０によって排紙トレイ１１１上に排出される。
【００１８】
また、画像形成部１００は制御部１１２を備えており、制御部１１２は画像形成装置１の各種動作を制御、統括する。また、制御部１１２は、通信インタフェース装置１１３によってＬＡＮ（Local Area Network）を介して他の装置と相互に通信する。これによって、制御部１１２は、ＰＣ（Personal Computer）等からプリントジョブを受け付ける。
イメージングユニット１０１Ｙ〜１０１Ｋには、それぞれトナーカートリッジ１１４Ｙ〜１１４ＫからＹＭＣＫ各色のトナーが、サブホッパー１１５Ｙ〜１１５Ｋを経由して供給される。
【００１９】
［２］  イメージングユニット１０１Ｙ〜１０１Ｋの構成
次に、イメージングユニット１０１Ｙ〜１０１Ｋの構成について説明する。なお、イメージングユニット１０１Ｙ〜１０１Ｋは何れも同様の構成を有しているので、以下ではトナー色を表わす符号Ｙ〜Ｋを省く。
図２は、イメージングユニット１０１の構成を示す断面図である。図２に示されるように、イメージングユニット１０１は、矢印Ｂ方向に回転する感光体ドラム２００の外周に、感光体ドラム２００の回転方向に沿って、帯電装置２０１、現像装置２０２及びクリーニング装置２０３を配設した構成となっている。感光体ドラム２００、帯電装置２０１及びクリーニング装置２０３はドラムユニットを構成し、現像装置２０２は現像ユニットを構成している。ドラムユニットと現像ユニットとの間には露光装置１０２からレーザ光Ｌを感光体ドラム２００の外周面に到達させるために隙間が設けられている。
【００２０】
感光体ドラム２００の外周面上には感光体層が設けられている。帯電装置２０１は、例えば、コロナ放電によって感光体層を一様に帯電させる。一様に帯電した感光体層には、露光装置１０２からのレーザ光Ｌが照射されることによって静電潜像が形成される。現像装置２０２は、それぞれ矢印Ｅ、Ｄ方向に回転する攪拌搬送スクリュー２１０、２１１を用いて、トナーとキャリアとを含む２成分現像剤を攪拌搬送することによってトナーを帯電させる。帯電したトナーは、矢印Ｃ方向に回転する供給ローラ２１２によって感光体ドラム２００の外周面上に供給され、静電潜像が顕像化される。
【００２１】
このようして感光体ドラム２００の外周面上に形成されたトナー像が前述のように中間転写ベルト１０３に１次転写された後、クリーニング装置２０３は、除電ランプ２２０にて感光体ドラム２００の外周面を照明することによって感光体層を除電すると共に、感光体ドラム２００の外周面上に残留するトナーをクリーナーブレード２２１によって掻き取り、清掃する。
【００２２】
図３は、イメージングユニット１０１の外観斜視図であって、（ａ）は画像形成装置１を開扉した状態において表側となる方向から見た図であり、（ｂ）はその裏側となる方向から見た図である。図３（ａ）に示されるように、イメージングユニット１０１はドラムユニット３０１と現像ユニット３０２との表側に化粧版３０３を取着した構成をとっており、化粧版３０３の上部に設けられたハンドル部３０４を矢印Ｆ方向に引くことによって画像形成装置１から抜去される。また、矢印Ｆとは反対方向に化粧版３０３を押すことによって、イメージングユニット１０１が画像形成装置１に装着される。
【００２３】
化粧版３０３の裏面には不揮発性メモリ（以下、「ＩＵ側メモリ」という。）３００が取着されている。また、画像形成装置１には、イメージングユニット１０１を装着した状態でＩＵ側メモリ３００に対向する位置に電気接点が設けられている。この電気接点にＩＵ側メモリ３００の電極（不図示）が圧接されることによって、ＩＵ側メモリ３００と画像形成装置１の制御部１１２とが電気的に接続され、制御部１１２によるＩＵ側メモリ３００へのデータの書き込み、並びにデータの読み出しが可能になる。
【００２４】
［３］  制御部１１２の構成
次に、制御部１１２の構成について説明する。
図４は、制御部１１２の主要な構成を示すブロック図である。図４に示されるように、制御部１１２はイメージングユニット１０１Ｙ〜１０１Ｋの制御をするエンジン制御部４０１と画像形成装置１全体の動作を統括するプリンタコントローラ４０２とを備えている。
【００２５】
エンジン制御部４０１はプリンタコントローラ４０２からプリントコマンドを受け付けると、イメージングユニット１０１Ｙ〜１０１Ｋを制御して、トナー像を形成する。また、エンジン制御部４０１はイメージングユニット１０１Ｙ〜１０１Ｋがそれぞれ備えているＩＵ側メモリ３００Ｙ〜３００Ｋに対してデータの書き込みと読み出しとをすることができる。また、エンジン制御部４０１もまた不揮発性メモリ（以下、「本体側メモリ」という。）４００を備えており、本体側メモリ４００に対してデータの書き込みと読み出しとをすることができる。
【００２６】
エンジン制御部４０１はイメージングユニット１０１Ｙ〜１０１Ｋに関連する異常の検出も行っており、異常を検出するとプリンタコントローラ４０２に異常情報を通知する。異常情報の通知を受けたプリンタコントローラ４０２は操作パネル４０３に異常情報を表示させて、画像形成装置１のユーザに異常を報知する。操作パネル４０３は異常表示の他にも必要に応じて表示を行なったり、画像形成装置１のユーザから操作入力を受け付けたりする。また、前述の通信インタフェース装置１１３によってプリントジョブを受け付けるのもプリンタコントローラ４０２である。
【００２７】
エンジン制御部４０１はイメージングユニット１０１の状態を監視しており、これによってイメージングユニット１０１の異常を検出する。例えば、エンジン制御部４０１は現像装置２０２内に貯留する現像剤量を監視して、現像剤量が不足する場合には、対応するサブホッパー１１５等を制御して、トナーカートリッジ１１４からトナーを補給する。対応するトナーカートリッジ１１４に十分な量のトナーが残っているにもかかわらず、トナー補給動作を行っても、なお現像剤量が不足する場合には、エンジン制御部４０１は、当該イメージングユニット１０１に関連する異常が発生したと判断する。
【００２８】
このような場合、エンジン制御部４０１とイメージングユニット１０１との間の電気的な接続に問題があって現像剤量の不足が誤検出されたり、サブホッパー１１５が正しく動作していないために現像剤量の不足が解消されていなかったり、或いは、イメージングユニット１０１が現像剤量を正しく検出していない等の原因が考えられるが、エンジン制御部４０１による異常検出処理では、そのような異常原因の特定までは行わず、異常情報の記録と通知のみを行う。
【００２９】
図５は、異常情報に関するメモリマップを示す図であって、（ａ）は本体側メモリ４００を、（ｂ）はＩＵ側メモリ３００をそれぞれ表わしている。図５（ａ）に示されるように、本体側メモリ４００においては、異常情報を記録するフィールド（以下、「異常情報フィールド」という。）５００を有している。異常情報フィールド５００は何れも１２バイトで、ＹＭＣＫ各色について３２個、合計１２８個ある。
【００３０】
異常情報フィールド５００には、２バイトの判定結果領域５０１、２バイトの履歴領域５０２及び８バイトのシリアル番号領域５０３がある。判定結果領域５０１には、イメージングユニット１０１に関する異常が検出された場合には１（検出）が記録される。判定結果領域５０１が１（検出）になっている異常情報を以下、「異常検出情報」という。また、イメージングユニット１０１に関する異常の原因が本体側にあると推定される場合には判定結果領域５０１に２（確定）が格納される。この場合には、「異常確定情報」という。なお、判定結果領域５０１に記録されている０は、当該異常が未検出であることを意味する。
【００３１】
履歴領域５０２には、初期状態においては値０が記録され、また、一旦、異常を検出した後は、後述のように、連続して異常を検出しなかった回数が格納される。シリアル番号フィールドには当該異常に係るイメージングユニット１０１のシリアル番号が格納される。３２個の異常情報フィールド５００は＃１から＃３２までの識別番号が与えられており、それぞれ特定の異常に対応している。例えば、異常情報フィールド＃１は、現像装置２０２へのトナー補給異常に関する異常情報を格納する異常情報フィールドとしても良い。
【００３２】
ＩＵ側メモリ３００においても、図５（ｂ）に示されるように、各１２バイト、３２個の異常情報フィールド５１０がある。異常情報フィールド５１０の構成は、異常情報フィールド５００と概ねの同様であるが、ＩＵのシリアル番号に代えて本体のシリアル番号が記録される点が異なっている。
［４］  制御部１１２の動作
次に、制御部１１２の動作について説明する。
【００３３】
図６は、制御部１１２の主要な動作を示すフローチャートである。図６に示されるように、制御部１１２はイメージングユニット１０１関連の異常を検出すると（Ｓ６０１：ＹＥＳ）、本体側メモリ４００の当該異常に係る異常情報を参照すると共に（Ｓ６０２）、検出した異常に係るイメージングユニット１０１のＩＵ側メモリ３００の当該異常に係る異常情報を参照する（Ｓ６０３）。制御部１１２は、更に、判定結果更新テーブルＡを参照して（Ｓ６０４）、本体側メモリ４００の判定結果領域５０１とシリアル番号領域５０３、並びにＩＵ側メモリ３００の判定結果領域５１１とシリアル番号領域５１３の記録内容を更新する（Ｓ６０５、Ｓ６０６）。
【００３４】
すなわち、検出した異常に対応する異常情報のシリアル番号領域に、本体側メモリ４００ではイメージングユニット１０１のシリアル番号を格納し、ＩＵ側メモリ３００では画像形成装置１本体のシリアル番号を格納する。また、判定結果領域には、現在の判定結果領域の記録内容と判定結果更新テーブルＡとから定まる値が記録される。なお、イメージングユニット１０１のシリアル番号は、例えば、当該イメージングユニット１０１のＩＵ側メモリ３００から読み出される。
【００３５】
図７は、判定結果更新テーブルの内容を示す表であって、（ａ）は判定結果更新テーブルＡを示し、（ｂ）は判定結果更新テーブルＢを示す。判定結果更新テーブルＡは、イメージングユニット１０１関連の異常が検出された際の異常情報の判定結果領域の更新のしかたを示すテーブルである。具体的には、更新前の本体側メモリ４００の異常情報に記録された判定結果と、ＩＵ側メモリ３００の異常情報に記録された判定結果との組から更新後の判定結果が決定される。ＩＵ側メモリ３００の異常情報に記録された判定結果についても同様に更新される。
【００３６】
例えば、検出した異常に関する異常情報の判定結果領域が本体側メモリ４００、ＩＵ側メモリ３００共に０（未検出）である場合には、本体側メモリ４００、ＩＵ側メモリ３００共に判定結果領域に１（検出）が記録される。また、判定結果領域が本体側メモリ４００で０（未検出）、ＩＵ側メモリ３００で１（検出）になっている異常情報に係る異常を検出した場合には、本体側メモリ４００の判定結果領域は０（未検出）のまま維持され、ＩＵ側メモリ３００の判定結果領域に２（確定）が記録される。
【００３７】
そして、本体側メモリ４００とＩＵ側メモリ３００との何れかの判定結果領域に２（確定）を記録した場合には（Ｓ６０７：ＹＥＳ）、異常確定を操作パネル４０３に表示する（Ｓ６０８）。さもなければ（Ｓ６０７：ＮＯ）、異常検出を操作パネル４０３に表示する（Ｓ６０９）。
イメージングユニット１０１の異常を検出しておらず（Ｓ６０１：ＮＯ）、かつ、イメージングユニット１０１の入れ替えを検出した場合には（Ｓ６１０：ＹＥＳ）、本体側メモリ４００とＩＵ側メモリ３００を参照して（Ｓ６１１、Ｓ６１２）本体側メモリ４００とＩＵ側メモリ３００の異常情報の履歴領域に記録されている値をそれぞれ１だけ増加させる更新を行う（Ｓ６１３、Ｓ６１４）。そして、判定結果更新テーブルＢを参照し（Ｓ６１５）、必要であれば、以下に説明するように、本体側メモリ４００並びにＩＵ側メモリ３００の判定結果領域を更新する（Ｓ６１６、Ｓ６１７）。
【００３８】
判定結果更新テーブルＢは、履歴領域に異常が検出されなかったのを契機に行われる異常情報の判定結果領域の更新のしかたを示すテーブルである。具体的には、更新前の本体側メモリ４００の異常情報に記録された判定結果と、更新前のＩＵ側メモリ３００の異常情報に記録された判定結果の組から更新後の判定結果が決定される。
例えば、検出した異常に関する異常情報の判定結果領域が本体側メモリ４００、ＩＵ側メモリ３００共に０（未検出）である場合には、本体側メモリ４００、ＩＵ側メモリ３００共に判定結果領域は０（未検出）のまま維持される。また、判定結果領域が本体側メモリ４００で０（未検出）、ＩＵ側メモリ３００で１（検出）になっている異常情報に係る異常を検出した場合には、本体側メモリ４００の判定結果領域は０（未検出）のまま維持され、ＩＵ側メモリ３００の判定結果領域は１（検出）に変更される。
【００３９】
また、履歴領域に記録される異常が検出されなかった回数が所定回数（例えば、３回。）に達した場合に、異常情報の判定結果領域に１（検出）と記録されていたら、０（未検出）に変更する。ステップＳ６０８、Ｓ６０９及びＳ６１７の処理の後、ステップＳ６０１へ進んで、上記の処理を繰り返す。
［５］  動作例
次に、画像形成装置１の動作例について説明する。
【００４０】
（１）  本体に異常の原因がある場合
まず、本体に異常の原因がある場合について説明する。
本実施の形態に係る画像形成装置に装着されているイメージングユニット１０１に関連する異常が検出されると、画像形成装置１の本体側メモリ４００とイメージングユニット１０１のＩＵ側メモリ３００に異常情報の判定結果領域に１（検出）が記録される。また、異常検出がユーザに報知された結果、呼ばれたサービスマンは、故障解析のため、画像形成装置１からイメージングユニット１０１を抜去した後、別のイメージングユニット１０１を画像形成装置１に装着する。このようにイメージングユニット１０１を入れ替えた後で異常が再発しなくても、本実施の形態によれば、本体側メモリ４００の異常情報に記録された判定結果は１（検出）に維持される。
【００４１】
異常が散発的に発生する場合には、イメージングユニット１０１を入れ替えても直ちには異常が再現しない可能性がある。これに対して、本体側メモリ４００において異常情報の判定結果領域に１（検出）を記録しておけば、その後、同じ異常に対して、仮に他のサービスマンが対応した場合であっても、本体側メモリ４００の異常情報の判定結果領域５０１に２（確定）が記録されているので、当該異常が繰り返し発生していることが分かり、画像形成装置１本体に故障原因があることを早期に特定するための助けになる。
【００４２】
（２）  イメージングユニット１０１に異常の原因がある場合
次に、イメージングユニット１０１に異常の原因がある場合について説明する。
異常検出時に呼び出されたサービスマンが、画像形成装置１に装着されたイメージングユニット１０１を別のイメージングユニット１０１に入れ替え、当該異常に係るイメージングユニット１０１をサービスセンタに持ち帰った後、持ち帰ったイメージングユニット１０１をサービスセンタにある画像形成装置１本体に装着しても必ずしも異常が再現しない場合がある。
【００４３】
そのような場合であっても、本実施の形態によれば、一旦、異常が検出されたイメージングユニット１０１のＩＵ側メモリ３００において異常情報の判定結果領域に１（検出）が記録されているので、その後、当該イメージングユニット１０１が何れかの画像形成装置１本体に装着された状態で異常が検出されたら、当該イメージングユニット１０１のＩＵ側メモリ３００において異常情報の判定結果領域に２（確定）が記録される。これによって、異常原因を解析するサービスマンが異なっていても、イメージングユニット１０１に故障原因がある可能性が高いことを早期に認識することができる。
【００４４】
（３）  一過性の原因による異常が検出された場合
次に、一過性の原因による異常が検出された場合について説明する。
一過性の原因による異常が検出された場合にも、本実施の形態によれば、本体側メモリ４００とＩＵ側メモリ３００との両方において異常情報の判定結果領域に１（検出）が記録される。当該異常はユーザの操作ミスなど一過性の原因によって検出されたものであるので、その後、繰り返して検出されることは期待し難い。
【００４５】
これによってイメージングユニット１０１が入れ替えられた後、別の原因によって同じ異常が検出された場合、判定結果更新テーブルＡに従って異常情報の判定結果領域を更新すると、当該原因による異常検出が１回目であるにもかかわらず、２（確定）が記録されてしまう。この判定結果は、異常が２回検出される場合に比べて確度が低く、十分な信頼性を有していないので、サービスマンが異常の原因を誤認するおそれもある。
【００４６】
これに対して、本実施の形態によれば、一旦、異常が検出された後、イメージングユニットを入れ替えて異常が検出されなかったら、判定結果更新テーブルＢに従って、判定結果領域に２（確定）に代えて１（検出）が記録される。また、更に、異常が検出されなかった回数が所定回数に達したら、判定結果領域に１（検出）に代えて０（未検出）が記録されるので、判定結果領域の記録内容の信頼性を高めることができる。
【００４７】
［６］  報知例
次に、異常が検出された場合の操作パネルによる報知例を示す。
図８は、異常が検出された結果、判定結果領域に１（検出）が記録された場合（図６のＳ６０７：ＮＯに相当）の報知例を示す図である。図８に示されるように、操作パネルの表示画面８００の上部に「作像プロセス異常」との文字列８０１が表示されるとともに、以後の画像形成処理が禁止される。
【００４８】
本体側メモリ４００の判定結果領域に２（確定）が記録された場合には（図６のＳ６０７：ＹＥＳに相当）、文字列８０１に代えて「作像プロセス異常（本体）」との文字列が表示される。ＩＵ側メモリ３００の判定結果領域に２（確定）が記録された場合には、「作像プロセス異常（ＩＵ）」と表示される。これによって、画像形成装置１のユーザやサービスマンは、異常が検出されたことや画像形成装置１本体とイメージングユニット１０１との何れに異常の原因がある可能性が高いかを知ることができる。
【００４９】
［７］  変形例
以上、本発明を実施の形態に基づいて説明してきたが、本発明が上述の実施の形態に限定されないのは勿論であり、以下のような変形例を実施することができる。
（１）  上記実施の形態においては、イメージングユニットに関連する異常としてトナー補給異常を例示したが、本発明がこれに限定されないのは言うまでもなく、他の異常も検出しても良い。
【００５０】
例えば、ＩＵ側メモリ３００にテスト領域を設けて、データを書き込んだ後、書き込んだデータを読み出して、ＩＵ側メモリ３００に対するアクセスの異常の有無を検出しても良い。この異常が検出された場合には、ＩＵ側メモリ３００の故障やＩＵ側メモリ３００との電気的接続の不良（接点不良）、イメージングユニット１０１への電力供給の異常などが疑われる。
【００５１】
（２）  上記実施の形態においては、３２種類までの異常を不揮発性メモリ３００、４００に記録し得る構成を例にとって説明したが、本発明がこれに限定されないのは言うまでもなく、更に多くの種類の異常を記録しても良いし、また、逆に、検出し得る異常の種類が少ない場合には、不揮発性メモリ３００、４００における異常情報の記録領域の数を少なくしても良い。また、上述のメモリマップはあくまでも例示に過ぎず、異なるメモリマップを採用しても、上述に相当するデータを記録することができれば、本発明の構成は同じである。また、判定結果である「未検出」、「検出」及び「確定」を表わす数値についても、上述と異なる数値を採用しても良い。
【００５２】
（３）  上記実施の形態においては、特に言及しなかったが、イメージングユニット１０１の入れ替えは、例えば、画像形成装置１の扉の開閉を検出した後に、イメージングユニット１０１のシリアル番号を参照して、扉の開閉に検出されたシリアル番号と比較し、両者が相違していたらイメージングユニット１０１が入れ替わったと判定しても良い。言うまでも無いことだが、イメージングユニット１０１の入れ替えを検出する構成の如何に関わらず、本発明の効果を得ることができる。
【００５３】
（４）  上記実施の形態においては、イメージセンサ１０１を入れ替えた際に異常が検出されなければ、異常情報の判定結果を更新する場合について説明したが、本発明がこれに限定されないのは言うまでもなく、これに代えて次のようにしても良い。例えば、何らかの異常検出処理を行って異常が検出されなければ、異常情報の判定結果を更新するとしても良いし、イメージセンサ１０１を装着した直後に異常が検出されなければ、異常情報の判定結果を更新しても良い。また、イメージセンサ１０１を他のイメージセンサ１０１に入れ替えた場合のみ、異常情報の判定結果を更新しても良い。以上、更新タイミングの如何に関わらず本発明の効果を得ることができる。
【００５４】
（５）  上記実施の形態においては、画像形成装置としてカラープリンタを例にとって説明したが、本発明がこれに限定されないのは言うまでもなく、モノクロプリンタに本発明を適用しても良い。また、複写装置やファクシミリ装置、或いは、これらの機能を複数兼ね備えた多機能機（MFP: Multi Function Peripheral）に本発明を適用しても良い。また、イメージングユニット以外の消耗品に関連する異常を検出しても良い。異常原因となる消耗品を脱着、交換することができる画像形成装置であれば、本発明を適用してその効果を得ることができる。
【産業上の利用可能性】
【００５５】
本発明に係る画像形成装置は、着脱可能な部品に関連する不具合の原因を解析し易くする技術として有用である。
【符号の説明】
【００５６】
１…………………画像形成装置
１００……………画像形成部
１０１……………イメージングユニット
１１２……………制御部
１１４……………トナーカートリッジ
１１５……………サブホッパー
２０２……………現像装置
３００……………ＩＵ側メモリ
４００……………本体側メモリ
４０１……………エンジン制御部
４０２……………プリンタコントローラ
４０３……………操作パネル
５００……………異常情報フィールド
５０１、５１１…判定結果領域
５０２、５１２…履歴領域
５０３、５１３…シリアル番号領域
【図１】
0005282312.tif 000002
【図２】
0005282312.tif 000003
【図３】
0005282312.tif 000004
【図４】
0005282312.tif 000005
【図５】
0005282312.tif 000006
【図６】
0005282312.tif 000007
【図７】
0005282312.tif 000008
【図８】
0005282312.tif 000009